(57)【特許請求の範囲】
【請求項１】
光を放射する放電管と、
前記放電管から放射された光を反射させる反射ミラーと、
前記放電管と、前記反射ミラーとが内部に格納されるハウジングと、
前記反射ミラーからの光を出射するための、前記ハウジングの前面に設けられた出射口と、を有するスポット光源装置において、
前記放電管及び前記反射ミラーと、前記ハウジングの前面との間に、
前記放電管及び前記反射ミラーを含む前記ハウジング内部の後面側の光源領域と、前記ハウジング内部の前面側の出力領域とを区分し、光を通過させる開口部を有する遮蔽板と、
前記出力領域内の、前記遮蔽板と前記出射口との間に設置された単一のシャッター板と、前記シャッター板を回転駆動させるシャッター駆動手段とを有し、光の出射のＯＮ／ＯＦＦを切り換えるためのシャッターと、を備え、
前記シャッター板は、出射される光の光軸に垂直な軸を回転軸として、前記シャッター駆動手段によって回転駆動されるとともに、前記回転軸を中心とした円筒の一部からなる形状を有し、前記シャッター駆動手段は、前記ハウジングの底面に対して固定され、
前記出力領域内の、前記シャッターと、前記出射口との間に、前記シャッター板が回転駆動される領域を覆うように設置され、光を通過させる開口部を有する遮蔽カバーをさらに備え、前記遮蔽カバーは、前記シャッター板がその内壁に沿って駆動するような半円筒形に形成されていることを特徴とするスポット光源装置。
【請求項２】
前記シャッターは、前記シャッター板を左回転及び右回転の両回転方向に回転駆動が可能であるように構成されたことを特徴とする請求項１記載のスポット光源装置。
【請求項３】
前記出力領域内の、前記遮蔽板と、前記シャッター板との間に、前記遮蔽板の開口部及び前記シャッター板の間からの光漏れを防ぐ遮蔽部材をさらに備えたことを特徴とする請求項１または２記載のスポット光源装置。
【請求項４】
前記遮蔽部材は、前記遮蔽板の前記出力領域側の面に、前記出射口に向かって突出するように取り付けられ、光を通過させる導光部を有する筒状の遮蔽部材であることを特徴とする請求項３記載のスポット光源装置。
【請求項５】
前記ハウジングの少なくとも一方の側面の、前記出力領域に面する所定の部位に、通風口が設けられたことを特徴とする請求項１〜４のいずれか一項記載のスポット光源装置。
【請求項６】
前記出射口に接続されて、出射される光を導光するライトガイドをさらに備えることを特徴とする請求項１〜５のいずれか一項記載のスポット光源装置。
【発明の詳細な説明】
【０００１】
【発明の属する技術分野】
本発明は、光を照射するスポット光源装置に関するものである。
【０００２】
【従来の技術】
従来、スポット光源装置では、放電管から放射された光を楕円集光ミラーなどの反射ミラーによって反射・集光し、出射口に導光して、出射口に接続されたファイバなどの導光手段（ライトガイド）によって外部に出射される。
【０００３】
このとき、反射ミラーから出射口への光の導光・出射のＯＮ／ＯＦＦを放電管をＯＮ／ＯＦＦさせることなく制御するために、集光された光を光軸上で遮ることによって光の通過を制御するシャッターが用いられる。また、シャッターを駆動制御するためのシャッター駆動手段としては、例えばロータリーソレノイドが用いられている。このようなスポット光源装置としては、例えば特公平７−１１４９９３号に示されている装置がある。
【０００４】
【発明が解決しようとする課題】
このようなスポット光源装置における従来のシャッターの装置例と、そのＯＮ／ＯＦＦ動作を図８に示す。シャッター６はシャッター板６０とシャッター駆動部６１とから構成され、所定の形状を有するシャッター板６０は、ロータリーソレノイドを含むシャッター駆動部６１に接続されて、駆動制御される。シャッター６の回転駆動の回転軸６１ａは、出射される光の光軸に対して平行に設定されており、この軸によってシャッター６のシャッター板６０が回転角度θで駆動されて、光の出射のＯＮ／ＯＦＦが行われる。図８においては、シャッター板６０について、ＯＮのときの位置を実線で、ＯＦＦのときの位置を点線で示してある。なお、ＯＮのときの位置については、この装置例においては、シャッター板６０に設けられた突起６０ａを位置センサ６１ｂによって検出して、位置を確認している。
【０００５】
このような構成とした場合、シャッター板６０の回転半径が大きく駆動のためのモーメントが大きいためにシャッター駆動部６１が大型化し、スポット光源装置を小型化する上で問題となる。すなわち、回転軸が光軸に平行である場合、シャッター駆動部６１の回転軸６１ａと光軸中心との距離ｌ0 が、回転軸６１ａと垂直な方向であるので、そのままシャッター板６０の回転半径となり、回転半径が大きくなる。ｌ0 を小さくした場合には、光の出射がＯＮである状態において光が通過できる領域を充分広くとるためには、回転角度θを大きくしなければならず、結局、シャッター駆動部６１への負荷の減少と、シャッター駆動部６１の小型化は達成できない。
【０００６】
このように、シャッター６が大型化し、シャッター駆動部６１への負荷が大きい場合、シャッター駆動部６１が駆動することによる発熱量や、動作音・振動等が増加し、それによってシャッター駆動部６１の劣化が生じやすく、長時間の運転における信頼性の低下等の原因となる。
【０００７】
本発明は、以上の問題点に鑑みてなされたものであり、小型で高速動作が可能であって、かつ安定性の高いシャッターを有するスポット光源装置を提供することを目的とする。
【０００８】
【課題を解決するための手段】
このような目的を達成するために、本発明によるスポット光源装置は、光を放射する放電管と、放電管から放射された光を反射させる反射ミラーと、放電管と、反射ミラーとが内部に格納されるハウジングと、反射ミラーからの光を出射するための、ハウジングの前面に設けられた出射口と、を有するスポット光源装置において、放電管及び反射ミラーと、ハウジングの前面との間に、放電管及び反射ミラーを含むハウジング内部の後面側の光源領域と、ハウジング内部の前面側の出力領域とを区分し、光を通過させる開口部を有する遮蔽板と、出力領域内の、遮蔽板と出射口との間に設置された単一のシャッター板と、シャッター板を回転駆動させるシャッター駆動手段とを有し、光の出射のＯＮ／ＯＦＦを切り換えるためのシャッターと、を備え、シャッター板は、出射される光の光軸に垂直な軸を回転軸として、シャッター駆動手段によって回転駆動されるとともに、回転軸を中心とした円筒の一部からなる形状を有し、シャッター駆動手段は、ハウジングの底面に対して固定され、出力領域内の、シャッターと、出射口との間に、シャッター板が回転駆動される領域を覆うように設置され、光を通過させる開口部を有する遮蔽カバーをさらに備え、遮蔽カバーは、シャッター板がその内壁に沿って駆動するような半円筒形に形成されていることを特徴とする。
【０００９】
シャッターを、シャッター板が光軸に垂直な軸を回転軸として回転駆動されるように構成することによって、シャッター駆動手段の駆動の回転軸部分と光軸中心との距離を回転軸に平行な方向とし、シャッター板の回転半径が小さく、かつ回転角度が小さいシャッターとすることができる。これによって、シャッター板の駆動のためのモーメントが小さくなり、シャッター駆動手段への負荷が減少し、したがって、小型で高速動作が可能な安定性の高いシャッターを用いたスポット光源装置を実現することができる。
【００１０】
またさらに、シャッターは、シャッター板を左回転及び右回転の両回転方向に回転駆動が可能であるように構成されたことを特徴としても良い。
【００１１】
シャッター駆動手段が一方向への駆動のみが可能な場合、例えばシャッター駆動手段に通電されていないときにはシャッター板は光の出射がＯＦＦである位置にあり、シャッター駆動手段に通電されているときにはシャッター板は光の出射がＯＮである位置に駆動されるようにシャッターを構成することができるが、光の出射がＯＮであってスポット光源装置が使用状態にあるときには、シャッター駆動手段に継続的に通電されている状態であるので、その発熱とそれによるシャッター駆動手段の劣化が特に問題となる。
【００１２】
これに対して、両回転方向に回転駆動できるようにシャッターを構成することによって、ＯＮ／ＯＦＦ動作をより確実に行うことができるとともに、シャッター駆動手段をＯＮ／ＯＦＦの切り換えのときのみに駆動させるようにし、シャッター駆動手段を連続的に駆動させることによるシャッター駆動手段の発熱等による劣化を抑制することができる。
【００１３】
また、出力領域内の、遮蔽板と、シャッター板との間に、遮蔽板の開口部及びシャッター板の間からの光漏れを防ぐ遮蔽部材をさらに備えた構成としても良い。
【００１４】
遮蔽板の開口部を通過する光の方向は、反射ミラーによって反射されていない光や他の部位から反射された光については必ずしも出射口の方向を向いていないが、遮蔽板とシャッター板との間に、さらに遮蔽部材を備えることによって、そのような出射口に導光されない光による光漏れを抑制することができる。
【００１５】
この遮蔽部材としては、遮蔽板の出力領域側の面に、出射口に向かって突出するように取り付けられ、光を通過させる導光部を有する筒状の遮蔽部材を用いても良い。
【００１６】
このような筒状の遮蔽部材を用いた場合、遮蔽板を通過するときの光の位置のみでなく光の方向及び角度をも制限することができ、より効果的に光の遮蔽と光の出射のＯＮ／ＯＦＦを行うことができる。同時に、これによって各部位からのスポット光源装置の外部への光漏れが大幅に減少し、また、出射口周辺やシャッター板及びシャッター駆動手段への、光の照射等による加熱とそれによる部品の劣化が抑制される。
【００１７】
また、出力領域内の、シャッターと、出射口との間に、シャッター板が回転駆動される領域を覆うように設置され、光を通過させる開口部を有する遮蔽カバーをさらに備えた構成として、遮蔽の効果を高めても良い。
【００１８】
さらに、ハウジングの少なくとも一方の側面の、出力領域に面する所定の部位に、通風口を設けても良い。これによって、シャッター板及びシャッター駆動手段等を冷却して、さらにそれらの劣化を抑えることができる。
【００１９】
また、出射口に接続されて、出射される光を導光するライトガイドをさらに備える構成としても良い。例えばファイバなど、用途に応じた形態・性能を有するライトガイドを接続することによって、効率的に光の出射とその利用を行うことができる。
【００２０】
【発明の実施の形態】
以下、図面と共に本発明によるスポット光源装置に係るＵＶスポット光源装置の好適な実施形態について詳細に説明する。なお、図面の説明においては同一要素には同一符号を付し、重複する説明を省略する。また、図面の寸法比率は、説明のものと必ずしも一致していない。なお、スポット光源装置の外面を構成するハウジングの各面については、底面及び上面と、それ以外の４面については、放電管及び反射ミラーの開口部に対向して出射口が設けられている面を前面、反対側を後面、前面に対して左側を左側面、右側を右側面とする。
【００２１】
図１は、本発明の第１の実施形態に係るＵＶスポット光源装置の概略構成を示す上面図である。また図２は、図１に示したＵＶスポット光源装置のＩ−Ｉ矢印断面図である。本実施形態におけるハウジング１は、ハウジング台部１１及びハウジングカバー１２からなるが、図１及び図２においてはハウジングカバー１２は図示していない。また、後述する内箱１８についてもここでは図示していない。ここで、ハウジング１の各面については、前面を１ａ、後面を１ｂ、左側面を１ｃ、右側面を１ｄ、底面を１ｅ、上面を１ｆとする。これらの各面に対し、ハウジング台部１１はハウジング１の前面１ａ、後面１ｂ及び底面１ｅを構成し、ハウジングカバー１２はハウジング１の左側面１ｃ、右側面１ｄ及び上面１ｆを構成する。
【００２２】
ハウジング１の内部は、区分板１４によって左右の領域に分けられており、左の領域は光照射系領域であって、放電管等の光学系が設置され、一方、右の領域は駆動系領域Ａであって、放電管等を駆動・制御する駆動装置１３（具体的には図示していない）が設置されている。駆動装置１３は、例えばハウジング１の前面１ａの所定の位置に設置されたパネル等に接続されて、操作者によって操作される構成としても良い。
【００２３】
光照射系領域は、遮蔽板４１によってさらに、後方の光源領域Ｂと、前方の出力領域Ｃとに分割されている。遮蔽板４１には開口部４１ａが設けられており、開口部４１ａを通過した光以外は、光源領域Ｂから出力領域Ｃには光が入射しないように構成されている。光源領域Ｂには、紫外光を放射する放電管２が、ハウジング１の前面１ａの方向に開口部を向けた楕円集光ミラーである反射ミラー２１の内側に位置するように設置されている。反射ミラー２１は、反射ミラー固定板２１ａによって固定・設置されている。
【００２４】
放電管２及び反射ミラー２１の開口部に対向するハウジング１の前面１ａの所定の位置には、反射ミラー２１からの紫外光を出射するための開口である出射口２２が設けられ、その外側にはファイバ差込口２３が接続されている。このような構成において、反射ミラー２１の内面により、放電管２から放射された紫外光が開口部側に反射され、遮蔽板４１の開口部４１ａを通過して出力領域Ｃに入射される。出射口２２に到達した紫外光は、本実施形態においては、ファイバ差込口２３に接続されたライトガイドであるファイバ２５によって外部に出射される。
【００２５】
なお、遮蔽板４１の光源領域Ｂ側の面には、開口部４１ａを覆うように紫外線透過フィルタ２４が設置されている。
【００２６】
遮蔽板４１の開口部４１ａは、出射される紫外光の光軸（以下、単に光軸という）を中心として、円形の開口部４１ａとして形成されている。また、遮蔽板４１のハウジング１の底面１ｅ側はＬ字型に形成されており、その底面１ｅに接する底部４１ｂによって、ハウジング１の底面１ｅに対して固定されている。
【００２７】
出力領域Ｃの遮蔽板４１と出射口２２との間には、紫外光出射のＯＮ／ＯＦＦを制御するためのシャッター５が設置されている。このシャッター５は、シャッター板５０と、ステッピングモータを含むシャッター駆動部５１とを有して構成されている。ステッピングモータは、特に動作音及び振動が小さく、高い安定性を有する。
【００２８】
シャッター板５０が接続されているシャッター駆動部５１は、遮蔽板４１のＬ字型の底部４１ｂに固定され、光軸に対して垂直な軸を回転軸として、シャッター板５０が接続・駆動される。図１及び図２においては、シャッター板５０の位置は紫外光出射がＯＮである状態を示してあり、図１ではＯＦＦである状態が点線で示されている。なお、出射される紫外光の強度をも調節したい場合には、シャッター５と出射口２２との間に、さらに強度調節手段（絞り機構）を設置しても良い。
【００２９】
本実施形態においては、遮蔽板４１とシャッター板５０との間に、さらに筒状の遮蔽部材４０がハウジング１の前面１ａの方向に突出するように、遮蔽板４１に固定されて設置されている。
【００３０】
この筒状の遮蔽部材４０は内部に導光部４０ａを有し、導光部４０ａの光軸方向の断面が、図２に示すように出射口２２側に向かって、開口が小さく先細である台形になる円錐台形に形成されており、遮蔽板４１と、出射口２２との間の出力領域Ｃにその円錐台形の中心を光軸に一致させて、遮蔽板４１に接続されて設置されている。このように、遮蔽板４１の開口部４１ａと、筒状の遮蔽部材４０の導光部４０ａとを通過した場合のみに、紫外光が出力領域Ｃに入射する構成とすることによって、出力領域Ｃに入射される紫外光に対して、遮蔽板４１における紫外光の通過位置を制限するのみでなく、遮蔽板４１の開口部４１ａを通過した紫外光に対して、筒状の遮蔽部材４０の導光部４０ａによって紫外光の入射方向及び角度に対しても制限することができる。これによって、遮蔽板４１の開口部４１ａ及びシャッター板５０の間からの紫外光の漏れを抑制することができ、より効果的かつ確実に遮蔽及び紫外光出射のＯＮ／ＯＦＦを行うことが可能となる。
【００３１】
シャッター５の構成及びその回転駆動等について説明する。図３は、図１及び図２に示したＵＶスポット光源装置に用いられるシャッター５の構成を示す拡大斜視図である。なお、光の通過位置を明示するため、筒状の遮蔽部材４０を破断し、その先端部のみを同図中に示してある。
【００３２】
ステッピングモータを用いたシャッター駆動部５１は、光軸に垂直な回転軸５１ａをその回転駆動の軸とし、左回転及び右回転の両回転方向に回転駆動が可能なように構成されている。具体的には、例えばステッピングモータに供給される電流を反転することによって回転駆動の方向を反転することができる。回転軸５１ａには、回転軸５１ａに垂直な面内で駆動される回転半径ｌ2 のシャッター板接続部５１ｂが接続されている。
【００３３】
シャッター板５０は、回転軸５１ａを中心とした半径ｌ2 の円筒の一部からなる形状を有しており、シャッター板接続部５１ｂに対して垂直に、したがって回転軸５１ａに対して平行に取り付けられ、回転角度θで回転駆動されて光の出射のＯＮ／ＯＦＦが行われる。図３においては、シャッター板５０及びシャッター板接続部５１ｂについて、ＯＮのときの位置を実線で、ＯＦＦのときの位置を点線で示してある。
【００３４】
この場合、シャッター駆動部５１のステッピングモータには、光の出射のＯＮ／ＯＦＦの２つの状態に対応する２つの駆動ステップが設定されて、両回転方向への回転駆動によって光の出射のＯＮ／ＯＦＦが切り換えられる。従来のようにシャッター駆動手段が一方向への駆動のみが可能な場合、例えばシャッター駆動手段に通電されていないときにはシャッター板は光の出射がＯＦＦである位置にあり、シャッター駆動手段に通電されているときにはシャッター板は光の出射がＯＮである位置に駆動されるようにシャッターを構成することができるが、光の出射がＯＮであってスポット光源装置が使用状態にあるときには、シャッター駆動手段に継続的に通電されている状態であるので、その発熱とそれによるシャッター駆動手段の劣化が特に問題となる。これに対して、図３に示したシャッター５においては、シャッター駆動部５１は光の出射のＯＮ／ＯＦＦの切り換え時のみ駆動され、その駆動による劣化等が最小限に抑えられる。なお、このようなシャッター駆動部としては、例えば同様に両回転方向に回転駆動が可能なように構成されたロータリーソレノイド等、ステッピングモータ以外によるものを用いることも可能である。
【００３５】
このような構成によって、シャッター板５０の回転半径が小さく、かつ回転角度が小さいシャッター５とすることができる。すなわち、回転軸５１ａが光軸に垂直であるので、シャッター駆動部５１の回転軸５１ａの部分と、光軸中心との距離ｌ1 は回転軸５１ａと平行な方向となる。したがって、距離ｌ1 は回転半径とは関係せず、シャッター板５０の駆動の回転半径は、シャッター板接続部５１ｂの回転半径ｌ2 となる。この場合、回転角度θを一定のまま、距離ｌ1 を小さくすることが可能であり、シャッター板５０を小型化することができる。
【００３６】
また、回転半径ｌ2 についても、図８に示した従来のシャッターでの回転半径ｌ0 と比べて、大幅に小さくすることが可能である。すなわち、図８に示した従来のシャッター６の場合、光の通過する領域の回転半径方向の範囲は例えばｌ0 ±Δｌとなり、ｌ0 よりも回転軸６１ａに近い距離でのシャッター板６０の動作によって、必要な回転角度θが決定される。ｌ0 を小さくしたときにもΔｌは一定のままであるので、ｌ0 の減少率に比べて、必要な回転角度θは急激に増大する。
【００３７】
これに対し、図３に示した本発明によるシャッター５の場合、光の通過する領域はすべて回転半径ｌ2 上にあるので、回転半径ｌ2 の減少による必要な回転角度θは急激に増大することがなく、したがって、回転半径ｌ2 及び回転角度θがともに小さく、また、シャッター板５０を小型化したシャッター５を実現することができる。
【００３８】
図４、図５及び図６は、本実施形態におけるＵＶスポット光源装置の斜視図を示し、図４はハウジングカバー１２及び内箱１８を外した状態でのＵＶスポット光源装置の内部の概略構成を示す斜視図、図５は内箱１８を装着した状態でのＵＶスポット光源装置の内部の概略構成を示す斜視図、図６はハウジングカバー１２をも装着した状態でのＵＶスポット光源装置の外面の概略構成を示す斜視図である。なお、これらの図においては、反射ミラー固定板２１ａの後方に接続されている支柱等の固定部材、及び放電管２と駆動装置１３との接続方法等については、図示していない。
【００３９】
放電管２から放射され、出力領域Ｃに導光されずに光源領域Ｂの各部位において反射・散乱等を起こす余分な光を遮蔽するための内箱１８は、後面１８ｂ（図示していない）、左側面１８ｃ及び上面１８ｆを有して構成され、それ以外の３面については、前面を遮蔽板４１、右側面を区分板１４、底面をハウジング１の底面１ｅによって構成して、図５に示すように遮蔽を実現している。
【００４０】
ハウジングカバー１２の左側面１ｃの出力領域Ｃに面する所定の部位には、図６に示すように通風口１６が設けられている。また、ハウジング台部１１の後面１ｂの駆動系領域Ａに面する所定の部位には、ファン１５が設けられている。これによって、通風口１６から導入された外気は、遮蔽板４１、筒状の遮蔽部材４０、シャッター５のシャッター板５０及びシャッター駆動部５１などの部品を冷却し、区分板１４の上方、または内箱１８の左側面・上方等を通過して駆動系領域Ａに流入し、ファン１５から排気される。
【００４１】
筒状の遮蔽部材４０を設置したことによって、図６に示すようにハウジングの側面に通風口１６を設けた場合においても、光漏れが生じないように光が遮蔽されている。また、出力領域Ｃに突出した筒状の遮蔽部材４０はそれ自身、放熱フィンの機能をも果たして、光を遮蔽することによって加熱された遮蔽板４１及び筒状の遮蔽部材４０の冷却が効果的に行われる。
【００４２】
なお、本実施形態においては、ハウジング１の左側面１ｃと、内箱１８の左側面１８ｃとの間に空間が設けられるように、ハウジング１及び内箱１８が設置されているが、この場合、内箱１８を冷却するために、ハウジングカバー１２の左側面１ｃの光源領域Ｂに面する所定の部位に、図６に示すように通風口１７をさらに設けても良い。
【００４３】
図７は、本発明によるＵＶスポット光源装置の第２の実施形態に係るハウジングカバー１２及び内箱１８を外した状態での斜視図を示し、図４に示したＵＶスポット光源装置に対して、シャッター板５０と出射口２２との間に、さらに遮蔽カバー４２が、筒状の遮蔽部材４０及びシャッター板５０を覆うように設置されている。遮蔽カバー４２は、シャッター板５０がその内壁に沿って駆動するような半円筒形に形成され、また、筒状の遮蔽部材４０の導光部４０ａの出射口２２側に対向する位置に、所定の大きさの開口部４２ａを有して形成されている。このような遮蔽カバー４２を設置することによって、筒状の遮蔽部材４０及びシャッター板５０の隙間等からの光漏れを防ぎ、さらに遮蔽効果を高めることができる。
【００４４】
本発明によるスポット光源装置は、上記したようなＵＶスポット光源装置に限られるものではなく、例えば可視光のスポット光源装置など、様々な形態・用途のスポット光源装置に適用することが可能である。また、例えばシャッターの回転軸は、シャッター板に対して出射口側にあるような構成など、出力領域内の他の部品・部位の構成や形状等によって、様々な構成とすることができる。
【００４５】
【発明の効果】
本発明によるスポット光源装置は、以上詳細に説明したように、次のような効果を得る。すなわち、光の出射のＯＮ／ＯＦＦを切り換えるシャッターとして、出射される光の光軸に垂直な軸を回転軸として構成されたシャッターを用いることによって、回転駆動の回転半径及び回転角度が小さく、シャッター駆動部への負荷が減少されたシャッターを用いた、長時間安定して動作が可能なスポット光源装置を実現することができる。
【００４６】
またさらに、両回転方向に回転駆動が可能であるように構成することによって、ＯＮ／ＯＦＦ動作を確実に行い、また、ＯＮ／ＯＦＦの切り換え時のみシャッター駆動部を駆動することによって、発熱によるシャッター駆動部の劣化をさらに減少させることができる。
【図面の簡単な説明】
【図１】本発明に係るＵＶスポット光源装置の第１の実施形態を示す上面図である。
【図２】図１に示したＵＶスポット光源装置のＩ−Ｉ矢印断面図である。
【図３】図１に示したＵＶスポット光源装置に用いられるシャッターの構成を示す斜視図である。
【図４】図１に示したＵＶスポット光源装置のハウジングカバー及び内箱を外した状態での斜視図である。
【図５】図１に示したＵＶスポット光源装置の内箱を装着した状態での斜視図である。
【図６】図１に示したＵＶスポット光源装置のハウジングカバーを装着した状態での斜視図である。
【図７】本発明に係るＵＶスポット光源装置の第２の実施形態を示すハウジングカバー及び内箱を外した状態での斜視図である。
【図８】従来のスポット光源装置に用いられるシャッターの構成を示す斜視図である。
【符号の説明】
１…ハウジング、１ａ…前面、１ｂ…後面、１ｃ…左側面、１ｄ…右側面、１ｅ…底面、１ｆ…上面、１１…ハウジング台部、１２…ハウジングカバー、１３…駆動装置、１４…区分板、１５…ファン、１６、１７…通風口、１８…内箱、１８ｂ…後面、１８ｃ…左側面、１８ｆ…上面、
２…放電管、２１…反射ミラー、２１ａ…反射ミラー固定板、２２…出射口、２３…ファイバ差込口、２４…紫外線透過フィルタ、２５…ファイバ、
４０…筒状の遮蔽部材、４０ａ…導光部、４１…遮蔽板、４１ａ…開口部、４１ｂ…底部、４２…遮蔽カバー、４２ａ…開口部、
５…シャッター、５０…シャッター板、５１…シャッター駆動部、５１ａ…回転軸、５１ｂ…シャッター板接続部、
６…シャッター、６０…シャッター板、６０ａ…突起、６１…シャッター駆動部、６１ａ…回転軸、６１ｂ…位置センサ。
【図１】
0004112694.tif 000002
【図２】
0004112694.tif 000003
【図３】
0004112694.tif 000004
【図４】
0004112694.tif 000005
【図５】
0004112694.tif 000006
【図６】
0004112694.tif 000007
【図７】
0004112694.tif 000008
【図８】
0004112694.tif 000009